(57)【特許請求の範囲】
【請求項１】
内周面側の空間に同心上のバッテリポストが挿入され、前記内周面を前記バッテリポストの外周面に締め付けていくことで前記バッテリポストに対する物理的且つ電気的な接続を行うランドルト環形状の接続部を有する接続体と、
前記接続部の２つの自由端の間隔を調整することで前記接続部の内径を調整し、前記接続部の前記バッテリポストに対する締付力を調整する締付力調整機構と、
を有し、
前記接続部は、前記バッテリポストに対する締め付けと共に前記バッテリポストの前記外周面側を部分的に食い込ませ、前記バッテリポストに対する軸方向及び周方向の相対移動を抑える相対移動抑制部を前記内周面側に少なくとも１つ備え、
前記相対移動抑制部は、第１側壁面と、前記第１側壁面に対向させて配置され、前記接続部の外周面側から前記内周面との境界側に向かうに連れて前記第１側壁面との間隔が拡がるテーパ状の第２側壁面と、前記第１側壁面と前記内周面との境界に形成されたエッジ部と、を備えると共に、前記バッテリポストに対する前記接続部の軸方向及び周方向の相対移動が抑制される位置に、その抑制を可能にする形状の前記第１側壁面と前記第２側壁面と前記エッジ部とを配置することを特徴としたバッテリ端子。
【請求項２】
前記相対移動抑制部は、環状に形成された環状溝であり、前記環状溝の互いに対向する２つの側壁面の内の一方を前記第１側壁面とし、その内の他方を前記第２側壁面とすることを特徴とした請求項１に記載のバッテリ端子。
【請求項３】
前記環状溝は、円環状に形成された円環状溝であることを特徴とした請求項２に記載のバッテリ端子。
【請求項４】
前記接続部は、その前記外周面側から前記内周面側へと打ち抜かれた貫通孔を少なくとも１つ備えることを特徴とした請求項１，２又は３に記載のバッテリ端子。
【発明の詳細な説明】
【技術分野】
【０００１】
本発明は、バッテリ端子に関する。
【背景技術】
【０００２】
従来、車両等に搭載されているバッテリには、正極側と負極側とに各々柱状のバッテリポストが突出させて設けられており、そのバッテリポストに対してバッテリ端子が物理的且つ電気的に接続されている。例えば、下記の特許文献１及び２には、ランドルト環形状の接続体を有するバッテリ端子が開示されている。そのバッテリ端子は、接続体をバッテリポストに挿入し、その接続体の内周面をバッテリポストの外周面に締め付けていくことによって、バッテリポストに対して物理的且つ電気的に接続される。
【先行技術文献】
【特許文献】
【０００３】
【特許文献１】特開２０１０−３５８３号公報
【特許文献２】特開２０１５−８８２６２号公報
【発明の概要】
【発明が解決しようとする課題】
【０００４】
ところで、バッテリ端子は、ワイヤハーネス等の導電体が物理的且つ電気的に接続されており、その導電体を介するバッテリから電気機器への給電や発電機からバッテリへの充電の一端を担っている。このため、バッテリ端子は、締め付け後のバッテリポストに対する相対的な位置の変化を抑え、バッテリと導電体との間の通電状態を維持させ続ける必要がある。従来のバッテリ端子は、その相対的な位置の変化を抑えるという点で改善の余地がある。
【０００５】
そこで、本発明は、締め付け後のバッテリポストに対する相対的な位置の変化の抑制が可能なバッテリ端子を提供することを、その目的とする。
【課題を解決するための手段】
【０００６】
上記目的を達成する為、本発明は、内周面側の空間に同心上のバッテリポストが挿入され、前記内周面を前記バッテリポストの外周面に締め付けていくことで前記バッテリポストに対する物理的且つ電気的な接続を行うランドルト環形状の接続部を有する接続体と、前記接続部の２つの自由端の間隔を調整することで前記接続部の内径を調整し、前記接続部の前記バッテリポストに対する締付力を調整する締付力調整機構と、を有し、前記接続部は、前記バッテリポストに対する締め付けと共に前記バッテリポストの前記外周面側を部分的に食い込ませ、前記バッテリポストに対する軸方向及び周方向の相対移動を抑える相対移動抑制部を前記内周面側に少なくとも１つ備え、前記相対移動抑制部は、第１側壁面と、前記第１側壁面に対向させて配置され、前記接続部の外周面側から前記内周面との境界側に向かうに連れて前記第１側壁面との間隔が拡がるテーパ状の第２側壁面と、前記第１側壁面と前記内周面との境界に形成されたエッジ部と、を備えると共に、前記バッテリポストに対する前記接続部の軸方向及び周方向の相対移動が抑制される位置に、その抑制を可能にする形状の前記第１側壁面と前記第２側壁面と前記エッジ部とを配置することを特徴としている。
【０００７】
ここで、前記相対移動抑制部は、環状に形成された環状溝であり、前記環状溝の互いに対向する２つの側壁面の内の一方を前記第１側壁面とし、その内の他方を前記第２側壁面とすることが望ましい。
【０００８】
また、前記環状溝は、円環状に形成された円環状溝であることが望ましい。
【０００９】
また、前記接続部は、その前記外周面側から前記内周面側へと打ち抜かれた貫通孔を少なくとも１つ備えることが望ましい。
【発明の効果】
【００１０】
本発明に係るバッテリ端子は、接続部の内周面をバッテリポストの外周面に締め付けていった際に、その外周面側が相対移動抑制部に食い込んでいく。その際、バッテリポストの外周面側は、テーパ状の第２側壁面に沿って食い込みながら、これに伴い形成され始めた食い込み部を食い込みの進行と共に第１側壁面側へと押し付けていく。このため、この外周面側においては、エッジ部への引っ掛かりも食い込みの進行と共に強くなっていく。本発明に係るバッテリ端子は、バッテリポストに対する接続部の軸方向及び周方向の相対移動が抑制される位置に、その抑制を可能にする形状の相対移動抑制部（第１側壁面と第２側壁面とエッジ部）を配置しており、そのような相対移動の抑制が可能な接続部とバッテリポストとの間の保持力を高めることができるので、バッテリポストに対する接続部の軸方向及び周方向の相対移動を抑えることができる。
【図面の簡単な説明】
【００１１】
【図１】図１は、実施形態のバッテリ端子を示す斜視図である。
【図２】図２は、実施形態のバッテリ端子を示す上面図である。
【図３】図３は、図２のＸ−Ｘ線で切った断面図であり、接続部の内周面側を示す図である。
【図４】図４は、図３のＹ１−Ｙ１線で切った断面の部分拡大図である。
【図５】図５は、バッテリポストの食い込み状態について説明する図である。
【図６】図６は、変形例１のバッテリ端子を示す斜視図である。
【図７】図７は、接続部の内周面側を示す断面図である。
【図８】図８は、図７のＹ２−Ｙ２線で切った断面の部分拡大図であり、バッテリポストの食い込み状態について説明する図である。
【図９】図９は、変形例２のバッテリ端子を示す斜視図である。
【図１０】図１０は、接続部の内周面側を示す断面図である。
【図１１】図１１は、図１０のＹ３−Ｙ３線で切った断面の部分拡大図であり、バッテリポストの食い込み状態について説明する図である。
【図１２】図１２は、図１０のＺ３−Ｚ３線で切った断面の部分拡大図であり、バッテリポストの食い込み状態について説明する図である。
【図１３】図１３は、変形例３のバッテリ端子を示す斜視図である。
【図１４】図１４は、接続部の内周面側を示す断面図である。
【図１５】図１５は、図１４のＹ４−Ｙ４線で切った断面の部分拡大図であり、バッテリポストの食い込み状態について説明する図である。
【図１６】図１６は、図１４のＺ４−Ｚ４線で切った断面の部分拡大図であり、バッテリポストの食い込み状態について説明する図である。
【図１７】図１７は、図１４のＺ５−Ｚ５線で切った断面の部分拡大図であり、バッテリポストの食い込み状態について説明する図である。
【発明を実施するための形態】
【００１２】
以下に、本発明に係るバッテリ端子の実施形態を図面に基づいて詳細に説明する。尚、この実施形態によりこの発明が限定されるものではない。
【００１３】
［実施形態］
本発明に係るバッテリ端子の実施形態の１つを図１から図５に基づいて説明する。
【００１４】
図１の符号１は、本実施形態のバッテリ端子を示す。図示しないが、車両等においては、バッテリ、電気機器や発電機等が搭載されており、バッテリから電気機器への給電や発電機からバッテリへの充電が行われている。バッテリ端子１は、ワイヤハーネス等の導電性の連結体（図示略）と共に、バッテリと電気機器との間やバッテリと発電機との間に介在させており、その間の給電や充電の一端を担っている。本実施形態のバッテリ端子１は、バッテリに立設されているバッテリポスト９０に対して物理的且つ電気的に接続されるものである。バッテリ端子１とバッテリポスト９０は、各々金属等の導電性材料によって成形されるが、後述するように、バッテリポスト９０よりも高剛性の材料をバッテリ端子１に用いている。
【００１５】
バッテリ端子１は、図１及び図２に示すように、バッテリポスト９０に対して物理的且つ電気的に接続される接続体１０を備える。バッテリポスト９０は、円柱状又は円錐台状に成形される。接続体１０は、そのバッテリポスト９０の形状に合わせて成形されたランドルト環形状の接続部１１を有しており、その接続部１１の内周面１１ａ側の空間に対して同心上のバッテリポスト９０が互いの軸方向に沿って挿入される。この例示では、バッテリポスト９０が円錐台状に成形されているので、内周面１１ａ側の空間がバッテリポスト９０の外形に合わせた円錐台状の内部空間となるように接続部１１を成形する。
【００１６】
接続体１０は、接続部１１の内周面１１ａをバッテリポスト９０の外周面９１に締め付けていくことによって、接続部１１がバッテリポスト９０に対して物理的且つ電気的に接続される。バッテリ端子１には、その締め付け動作を担う締付力調整機構２０が設けられている。
【００１７】
締付力調整機構２０は、接続部１１の内径を調整することによって、この接続部１１のバッテリポスト９０に対する締付力を調整するものである。ここで、接続部１１は、先に示したようにランドルト環形状に成形されていることから、自らの周方向において互いに間隔を空け且つ対向している２つの自由端を有している。締付力調整機構２０は、そのそれぞれの自由端の間隔を調整することによって、接続部１１の内径を調整する。
【００１８】
締付力調整機構２０は、第１板部２１と第２板部２２とを有する。その第１板部２１と第２板部２２は、各々が矩形の板状に成形されたものであり、それぞれの対向面２１ａ，２２ａ同士が互いに間隔を空けて配置されるよう接続部１１に一体化させている。この締付力調整機構２０では、第１板部２１を接続部１１の一方の自由端から延出させ、かつ、第２板部２２を接続部１１の他方の自由端から第１板部２１と同じ方向に向けて延出させている。締付力調整機構２０は、その対向面２１ａ，２２ａ同士の間隔を調整することによって、接続部１１のそれぞれの自由端の間隔を調整する。
【００１９】
この締付力調整機構２０においては、その第１板部２１と第２板部２２との間の間隔の調整を行うべく、第１板部２１と第２板部２２とに各々同心の貫通孔２１ｂ，２２ｂを形成している。そして、この締付力調整機構２０は、そのそれぞれの貫通孔２１ｂ，２２ｂに軸部２３ａを挿通させたボルト２３と、その軸部２３ａの雄螺子部に螺合させた雌螺子部を有するナット２４と、を備え、そのボルト２３の頭部２３ｂとナット２４で第１板部２１と第２板部２２を挟み込んでいる。例えば、この締付力調整機構２０においては、ナット２４を軸部２３ａに締め込んでいくことによって、第１板部２１と第２板部２２のそれぞれの対向面２１ａ，２２ａ同士を狭めたり、ナット２４を軸部２３ａに対して緩めていくことによって、対向面２１ａ，２２ａ同士を広げたりすることができる。この締付力調整機構２０は、接続部１１がバッテリポスト９０に挿入された後、ナット２４を軸部２３ａに締め込んでいくことによって、接続部１１の内周面１１ａをバッテリポスト９０の外周面９１に締め付けていく。
【００２０】
このバッテリ端子１には、ワイヤハーネスに設けられているハーネス端子（図示略）を固定する端子固定ボルト３０が設けられている。その端子固定ボルト３０は、板状の連結体４０を介して接続体１０に電気的に接続されている。
【００２１】
ところで、このバッテリ端子１は、接続部１１をバッテリポスト９０に挿入した後、締付力調整機構２０で接続部１１の内径を小さくし、接続部１１の内周面１１ａをバッテリポスト９０の外周面９１に締め付けていくことで、バッテリポスト９０に対して物理的且つ電気的に接続する。バッテリ端子１は、そのような構造のものであるがため、例えば外力（ワイヤハーネスからの外力等）が入力された際に、その力が接続部１１に作用するので、何らかの策を講じなければ、バッテリポスト９０に対する相対的な位置が軸方向又は周方向（接続部１１やバッテリポスト９０の軸方向又は周方向）に変化してしまう可能性がある。
【００２２】
そこで、本実施形態のバッテリ端子１は、バッテリポスト９０に対する接続部１１の軸方向及び周方向の相対移動を抑える相対移動抑制部１２を接続部１１の内周面１１ａ側に少なくとも１つ備えている（図１から図３）。
【００２３】
その相対移動抑制部１２は、接続部１１のバッテリポスト９０に対する締め付けと共にバッテリポスト９０の外周面９１側を部分的に食い込ませることによって、バッテリポスト９０に対する接続部１１の軸方向及び周方向の相対移動を抑える。このために、この相対移動抑制部１２は、第１側壁面１２ａと、この第１側壁面１２ａに対向させて配置され、接続部１１の外周面１１ｂ側から内周面１１ａとの境界側に向かうに連れて第１側壁面１２ａとの間隔が拡がるテーパ状の第２側壁面１２ｂと、その第１側壁面１２ａと内周面１１ａとの境界に形成されたエッジ部１２ｃと、を備える（図４）。この相対移動抑制部１２は、内周面１１ａ側と外周面１１ｂ側とを連通させる貫通孔であってもよく、内周面１１ａ側から外周面１１ｂ側へと凹ませた溝形状のものであってもよい。また、ここでは、相対移動抑制部１２に対するバッテリポスト９０の外周面９１側の食い込みを容易に行わせるべく、バッテリ端子１をバッテリポスト９０よりも高剛性の材料で成形している。
【００２４】
エッジ部１２ｃとは、接続部１１をバッテリポスト９０に締め付けた際に外周面９１側を引っ掛ける部位であり、その引っ掛かりによって接続部１１のバッテリポスト９０に対する相対移動を抑制するものである。第１側壁面１２ａは、そのようなエッジ部１２ｃが内周面１１ａとの境界に形成されるのであれば、内周面１１ａとの間で成す角度が如何様なものであってもよい。例えば、相対移動抑制部１２は、接続部１１が曲げ加工される前の板状の状態でプレス成形によって形成する。このため、第１側壁面１２ａは、内周面１１ａに対して直交させればよい。一方、テーパ状の第２側壁面１２ｂは、内周面１１ａとの関係に着目するならば、この内周面１１ａとの間で成す角度が鈍角となるように形成する。この鈍角の大きさは、相対移動抑制部１２へのバッテリポスト９０の外周面９１側の食い込み易さを考慮した上で適宜決めればよい。
【００２５】
相対移動抑制部１２においては、接続部１１の内周面１１ａをバッテリポスト９０の外周面９１に締め付けていくことによって、その外周面９１側が食い込んでいき、この外周面９１側に食い込み部９１ａが形成される（図５）。その際、バッテリポスト９０の外周面９１側は、テーパ状の第２側壁面１２ｂに沿って食い込みながら、これに伴い形成され始めた食い込み部９１ａを食い込みの進行と共に第１側壁面１２ａ側へと押し付けていく。このため、この外周面９１側においては、エッジ部１２ｃへの引っ掛かりも食い込みの進行と共に強くなっていく。
【００２６】
このように、本実施形態のバッテリ端子１においては、テーパ状の第２側壁面１２ｂによって、バッテリポスト９０の外周面９１側の相対移動抑制部１２への食い込みが容易なものとなり、このことから、その外周面９１側がエッジ部１２ｃに引っ掛かり易くなる。よって、このバッテリ端子１は、抑制したい相対移動の方向に合わせて相対移動抑制部１２を設けることで、相対移動抑制部１２と食い込み部９１ａとの間における接続部１１とバッテリポスト９０との間の保持力、及び、外周面９１側のエッジ部１２ｃへの引っ掛かりによる接続部１１とバッテリポスト９０との間の保持力を高めることができる。本実施形態の相対移動抑制部１２は、バッテリポスト９０に対する接続部１１の軸方向及び周方向の相対移動が抑制される位置に、その抑制を可能にする形状の第１側壁面１２ａと第２側壁面１２ｂとエッジ部１２ｃとを配置する。従って、本実施形態のバッテリ端子１においては、そのような相対移動の抑制が可能な接続部１１とバッテリポスト９０との間の保持力を高めることができるので、バッテリポスト９０に対する接続部１１の軸方向及び周方向の相対移動を抑えることができる。
【００２７】
以下に、その相対移動抑制部１２の具体例について説明する。
【００２８】
本実施形態の相対移動抑制部１２は、環状に形成された環状溝として接続部１１の内周面１１ａに複数形成する（図１から図３）。その内周面１１ａにおいては、軸方向及び周方向に対して、各々略等間隔に複数の相対移動抑制部１２が並べて配置されている。この相対移動抑制部１２においては、その環状溝の互いに対向する２つの側壁面の内の一方が第１側壁面１２ａとなり、その内の他方が第２側壁面１２ｂとなる。この相対移動抑制部１２は、環状溝にすることで、食い込み部９１ａとの間における接続部１１とバッテリポスト９０との間の保持力、及び、外周面９１側のエッジ部１２ｃへの引っ掛かりによる接続部１１とバッテリポスト９０との間の保持力を、その環状溝に沿った様々な方向で高めることができる。このため、本実施形態の相対移動抑制部１２は、様々な方向でのバッテリポスト９０に対する接続部１１の相対移動を抑えることができるので、バッテリポスト９０に対する接続部１１の軸方向及び周方向の相対移動を抑制することができる。
【００２９】
その環状溝は、真円等のような円形状のもの、楕円形状のもの、トラック形状のもの、三角形や四角形等の多角形状のものなど、如何様な形状のものであってもよい。ここでは、円環状に形成された円環状溝を例として挙げている。相対移動抑制部１２は、円環状溝にすることで、３６０度あらゆる方向での接続部１１とバッテリポスト９０との間の保持力を高めることができる。また、この相対移動抑制部１２は、円環状溝にすることで、加工が容易になり、かつ、接続部１１の強度の低下を抑えることができる。更に、この相対移動抑制部１２は、その円環状の直径を小さくすることで、接続部１１とバッテリポスト９０との間の保持力を更に高めることができる。従って、この円環状の相対移動抑制部１２は、形成可能な範囲内で且つ接続部１１の強度を所望の大きさに保つことが可能な範囲内で小さくすることが望ましい。
【００３０】
ここで、この円環状の相対移動抑制部１２は、径方向外側の側壁面と径方向内側の側壁面とを有している。この相対移動抑制部１２においては、その径方向外側の側壁面と径方向内側の側壁面の内の一方を第１側壁面１２ａとし、その内の他方を第２側壁面１２ｂとすればよい。但し、この相対移動抑制部１２は、径方向内側の側壁面を第１側壁面１２ａとし、径方向外側の側壁面を第２側壁面１２ｂとすることで、これとは逆の配置と比較して、バッテリポスト９０の外周面９１側の食い込みの進行と共に、食い込み部９１ａが円環の中心側に寄っていき、その外周面９１側のエッジ部１２ｃへの引っ掛かりが強くなっていく。このため、この円環状の相対移動抑制部１２では、径方向内側の側壁面を第１側壁面１２ａとし、径方向外側の側壁面を第２側壁面１２ｂとすることが望ましい。尚、径方向とは、その円環の径方向のことをいう。
【００３１】
また、この円環状の相対移動抑制部１２には、溝底面１２ｄが存在している。相対移動抑制部１２は、食い込み部９１ａが溝底面１２ｄに当接するだけの溝深さのものであってもよいが、食い込み部９１ａを溝底面１２ｄに当接させない溝深さであれば、バッテリポスト９０の外周面９１側を最大量食い込ませることができる。このため、相対移動抑制部１２は、食い込み部９１ａを溝底面１２ｄに当接させない溝深さに形成することが望ましい。
【００３２】
［変形例１］
本変形例のバッテリ端子２は、実施形態のバッテリ端子１において、接続体１０を下記の接続体１１０へと置き換えたものに相当する（図６）。
【００３３】
接続体１１０は、実施形態の接続体１０の接続部１１と同様のランドルト環形状の接続部１１１を有するものであり、その接続部１１１の内周面１１１ａ側に、実施形態の相対移動抑制部１２と同様の円環状溝としての相対移動抑制部（以下、「第１相対移動抑制部」という。）１１２が複数形成されている（図６から図８）。その第１相対移動抑制部１１２は、第１側壁面１１２ａと第２側壁面１１２ｂとエッジ部１１２ｃと溝底面１１２ｄとを有する。本変形例の第１相対移動抑制部１１２においては、径方向内側の側壁面を第１側壁面１１２ａとし、径方向外側の側壁面を第２側壁面１１２ｂとしている。このため、本変形例のバッテリ端子２は、実施形態のバッテリ端子１と同様の効果を得ることができる。
【００３４】
更に、本変形例の接続部１１１には、その第１相対移動抑制部１１２とは別の相対移動抑制部（以下、「第２相対移動抑制部」という。）１１３が少なくとも１つ設けられている。その第２相対移動抑制部１１３は、第１相対移動抑制部１１２と同じように、バッテリポスト９０に対する接続部１１１の軸方向及び周方向の相対移動を抑えるためのものである。この第２相対移動抑制部１１３は、接続部１１１の外周面１１１ｂ側から内周面１１１ａ側へと打ち抜かれた貫通孔として形成する。この第２相対移動抑制部１１３においては、そのように外周面１１１ｂ側から内周面１１１ａ側へとプレス成形等で打ち抜くことで、その内周面１１１ａ側に、内周面１１１ａから径方向内側に突出したバリ等の突起１１３ａが形成される。このため、この第２相対移動抑制部１１３においては、接続部１１１のバッテリポスト９０に対する締め付けと共に、その突起１１３ａがバッテリポスト９０の外周面９１に食い込んでいく。従って、本変形例のバッテリ端子２は、第１相対移動抑制部１１２による接続部１１１とバッテリポスト９０との間の保持力に加えて、その突起１１３ａとバッテリポスト９０の外周面９１側の被食い込み部９１ｂとの間でも、接続部１１１とバッテリポスト９０との間の保持力を高めることができる。よって、このバッテリ端子２は、実施形態のバッテリ端子１と比較して、接続部１１１とバッテリポスト９０との間に高い保持力を発生させることができるので、バッテリポスト９０に対する接続部１１１の軸方向及び周方向の相対移動をより抑えることができる。
【００３５】
具体的に、その第２相対移動抑制部１１３は、そのような打ち抜き方向の貫通孔であれば、如何様な形状のものであってもよい。例えば、ここでは、円環状の第１相対移動抑制部１１２の径方向内側に円形且つ同心の貫通孔を各々形成し、これら複数の貫通孔を各々第２相対移動抑制部１１３として利用する。この第２相対移動抑制部１１３は、円形の貫通孔にすることで、この貫通孔の内周面１１１ａ側の周縁部の全域に渡って又はその周縁部の周方向に沿った複数箇所に突起１１３ａが形成されるので、接続部１１１とバッテリポスト９０との間の保持力を様々な方向で高めることができる。よって、このバッテリ端子２は、バッテリポスト９０に対する接続部１１１の軸方向及び周方向の相対移動を抑えることができる。また、この第２相対移動抑制部１１３は、円形の貫通孔にすることで、加工が容易になり、かつ、接続部１１１の強度の低下を抑えることができる。
【００３６】
ところで、そのような貫通孔としての第２相対移動抑制部１１３は、単独で（つまり第１相対移動抑制部１１２を設けることなく）接続部１１１に配置してもよい。バッテリ端子２は、このような構成であっても、バッテリポスト９０に対する接続部１１１の軸方向及び周方向の相対移動を抑えることができる。
【００３７】
［変形例２］
本変形例のバッテリ端子３は、実施形態のバッテリ端子１において、接続体１０を下記の接続体２１０へと置き換えたものに相当する（図９）。
【００３８】
接続体２１０は、実施形態の接続体１０の接続部１１と同様に、内周面２１１ａと外周面２１１ｂとを有するランドルト環形状の接続部２１１を備えるものである。本変形例の接続部２１１は、実施形態の接続部１１と同じように、内周面２１１ａ側に少なくとも１つの相対移動抑制部２１２を備えているが、その相対移動抑制部２１２の形状が実施形態の円環状の相対移動抑制部１２とは異なる。
【００３９】
実施形態のバッテリ端子１では、相対移動抑制部１２を円環状溝とし、接続部１１とバッテリポスト９０との間の保持力を３６０度あらゆる方向で高めることによって、バッテリポスト９０に対する接続部１１の軸方向及び周方向の相対移動を抑えている。しかしながら、その相対移動を抑える方向について考慮するならば、本変形例の接続部２１１には、軸方向の相対移動を抑えるための２つの側壁面及びエッジ部の組み合わせ（相対移動抑制部１２の第１側壁面１２ａと第２側壁面１２ｂとエッジ部１２ｃに相当するもの）と、周方向の相対移動を抑えるための２つの側壁面及びエッジ部の組み合わせ（相対移動抑制部１２の第１側壁面１２ａと第２側壁面１２ｂとエッジ部１２ｃに相当するもの）と、が少なくとも設けられていればよい。そこで、本変形例の相対移動抑制部２１２は、次のように形成する。この相対移動抑制部２１２は、内周面２１１ａ側と外周面２１１ｂ側とを連通させる貫通孔であってもよく、内周面２１１ａ側から外周面２１１ｂ側へと凹ませた溝形状のものであってもよい。ここでは、溝形状のものとして例示する。
【００４０】
本変形例の相対移動抑制部２１２は、周方向に延在させた溝部であり、バッテリポスト９０に対する接続部２１１の軸方向の相対移動を抑えるための周方向溝部２１２ａ（図１０及び図１１）と、軸方向に延在させた溝部であり、バッテリポスト９０に対する接続部２１１の周方向の相対移動を抑えるための軸方向溝部２１２ｂ（図１０及び図１２）と、を備える。この例示の相対移動抑制部２１２は、その周方向溝部２１２ａと軸方向溝部２１２ｂとを互いに連通させたものであり、この周方向溝部２１２ａと軸方向溝部２１２ｂとによって例えばＬ字状やＴ字状に形成される。ここでは、Ｌ字状の相対移動抑制部２１２を例として挙げている。
【００４１】
周方向溝部２１２ａは、周方向に延在させた第１側壁面２１２ａ１と第２側壁面２１２ａ２とを有するものであり、その各々を互いに間隔を空け且つ対向させて配置している。第１側壁面２１２ａ１は、実施形態の相対移動抑制部１２の第１側壁面１２ａと同様のものであり、内周面２１１ａとの境界にエッジ部２１２ａ３を形成する。一方、第２側壁面２１２ａ２は、実施形態の相対移動抑制部１２の第２側壁面１２ｂと同じようにテーパ状に形成する。この周方向溝部２１２ａは、更に溝底面２１２ａ４を有している。この例示の周方向溝部２１２ａにおいては、軸方向で互いに対向する２つの側壁面の内の一方が第１側壁面２１２ａ１となり、その内の他方が第２側壁面２１２ａ２となる。ここでは、バッテリポスト９０に挿入する直前の接続部２１１において、バッテリポスト９０側の側壁面を第１側壁面２１２ａ１にしている。
【００４２】
周方向溝部２１２ａにおいては、そのように形成されることで、接続部２１１の内周面２１１ａをバッテリポスト９０の外周面９１に締め付けていった際に、その外周面９１側が食い込んでいきながら、その外周面９１側のエッジ部２１２ａ３への引っ掛かりが強くなっていく。このため、この周方向溝部２１２ａは、バッテリポスト９０に対する接続部２１１の軸方向の相対移動を抑えることができる。
【００４３】
軸方向溝部２１２ｂは、軸方向に延在させた第１側壁面２１２ｂ１と第２側壁面２１２ｂ２とを有するものであり、その各々を互いに間隔を空け且つ対向させて配置している。第１側壁面２１２ｂ１は、実施形態の相対移動抑制部１２の第１側壁面１２ａと同様のものであり、内周面２１１ａとの境界にエッジ部２１２ｂ３を形成する。一方、第２側壁面２１２ｂ２は、実施形態の相対移動抑制部１２の第２側壁面１２ｂと同じようにテーパ状に形成する。この軸方向溝部２１２ｂは、更に溝底面２１２ｂ４を有している。この例示の軸方向溝部２１２ｂにおいては、周方向で互いに対向する２つの側壁面の内の一方が第１側壁面２１２ｂ１となり、その内の他方が第２側壁面２１２ｂ２となる。ここでは、接続部２１１をバッテリポスト９０への挿入方向に見た際に、その２つの側壁面の内の反時計回り側に配置されているものを第１側壁面２１２ｂ１にしている。
【００４４】
軸方向溝部２１２ｂにおいては、そのように形成されることで、接続部２１１の内周面２１１ａをバッテリポスト９０の外周面９１に締め付けていった際に、その外周面９１側が食い込んでいきながら、その外周面９１側のエッジ部２１２ｂ３への引っ掛かりが強くなっていく。このため、この軸方向溝部２１２ｂは、バッテリポスト９０に対する接続部２１１の周方向の相対移動を抑えることができる。
【００４５】
この例示では、このＬ字状の相対移動抑制部２１２を内周面２１１ａに複数備えている。その内周面２１１ａにおいては、軸方向及び周方向に対して、各々略等間隔に複数の相対移動抑制部２１２が並べて配置されている。
【００４６】
本変形例のバッテリ端子３は、そのような相対移動抑制部２１２によって、接続部２１１とバッテリポスト９０との間における軸方向及び周方向の保持力を高めることができるので、バッテリポスト９０に対する接続部２１１の軸方向及び周方向の相対移動を抑えることができる。
【００４７】
尚、本変形例のバッテリ端子３は、その相対移動抑制部２１２に加えて、前述した変形例１の第２相対移動抑制部１１３を設けてもよく、これにより、バッテリポスト９０に対する接続部２１１の軸方向及び周方向の相対移動の抑制効果を更に高めることができる。
【００４８】
［変形例３］
本変形例のバッテリ端子４は、実施形態のバッテリ端子１において、接続体１０を下記の接続体３１０へと置き換えたものに相当する（図１３）。
【００４９】
接続体３１０は、実施形態の接続体１０の接続部１１と同様に、内周面３１１ａと外周面３１１ｂとを有するランドルト環形状の接続部３１１を備えるものである。本変形例の接続部３１１は、実施形態の接続部１１と同じように、内周面３１１ａ側に少なくとも１つの相対移動抑制部３１２を備えているが、その相対移動抑制部３１２の形状が実施形態の円環状の相対移動抑制部１２とは異なる。
【００５０】
本変形例の相対移動抑制部３１２は、前述した変形例２のバッテリ端子３と同様の考えに基づいて形成されたものである。この相対移動抑制部３１２は、変形例２の周方向溝部２１２ａと同様の周方向溝部３１２ａ（図１４及び図１５）と、変形例２の軸方向溝部２１２ｂと同様の軸方向溝部３１２ｂ（図１４、図１６及び図１７）と、が交互に１つずつ並べて配置されたものである。この相対移動抑制部３１２は、複数の周方向溝部３１２ａと複数の軸方向溝部３１２ｂとを軸方向に交互に１つずつ並べたものであってもよく、複数の周方向溝部３１２ａと複数の軸方向溝部３１２ｂとを周方向に交互に１つずつ並べたものであってもよい。ここでは、後者の軸方向に並べたものを例示しており、この相対移動抑制部３１２を周方向に間隔を空けて複数配置する。また、この例示の相対移動抑制部３１２は、その周方向溝部３１２ａと軸方向溝部３１２ｂとを交互に１つずつ並べて矩形波の如き形状にしたものを例示する。
【００５１】
本変形例の相対移動抑制部３１２のそれぞれの周方向溝部３１２ａは、周方向に延在させた第１側壁面３１２ａ１と第２側壁面３１２ａ２とを有すると共に、その第１側壁面３１２ａ１と内周面３１１ａとの境界に形成されたエッジ部３１２ａ３及び溝底面３１２ａ４を有している。それぞれの周方向溝部３１２ａにおいては、軸方向で互いに対向する２つの側壁面の内の一方が第１側壁面３１２ａ１となり、その内の他方が第２側壁面３１２ａ２となるが、個々の周方向溝部３１２ａでの第１側壁面３１２ａ１と第２側壁面３１２ａ２の位置関係は問わない。このため、相対移動抑制部３１２の全ての周方向溝部３１２ａは、バッテリポスト９０に挿入する直前の接続部３１１において、バッテリポスト９０側の側壁面を第１側壁面３１２ａ１にしてもよく、これとは逆側の側壁面を第１側壁面３１２ａ１にしてもよい。また、相対移動抑制部３１２のそれぞれの周方向溝部３１２ａでは、バッテリポスト９０側の側壁面を第１側壁面３１２ａ１にするものと、これとは逆側の側壁面を第１側壁面３１２ａ１にするものと、が混在していてもよい。
【００５２】
この相対移動抑制部３１２のそれぞれの周方向溝部３１２ａにおいては、そのように形成されることで、接続部３１１の内周面３１１ａをバッテリポスト９０の外周面９１に締め付けていった際に、その外周面９１側が食い込んでいきながら、その外周面９１側のエッジ部３１２ａ３への引っ掛かりが強くなっていく。このため、相対移動抑制部３１２のそれぞれの周方向溝部３１２ａにおいては、バッテリポスト９０に対する接続部３１１の軸方向の相対移動を抑えることができる。
【００５３】
本変形例の相対移動抑制部３１２のそれぞれの軸方向溝部３１２ｂは、軸方向に延在させた第１側壁面３１２ｂ１と第２側壁面３１２ｂ２とを有すると共に、その第１側壁面３１２ｂ１と内周面３１１ａとの境界に形成されたエッジ部３１２ｂ３及び溝底面３１２ｂ４を有している。それぞれの軸方向溝部３１２ｂにおいては、周方向で互いに対向する２つの側壁面の内の一方が第１側壁面３１２ｂ１となり、その内の他方が第２側壁面３１２ｂ２となるが、個々の軸方向溝部３１２ｂでの第１側壁面３１２ｂ１と第２側壁面３１２ｂ２の位置関係は問わない。このため、相対移動抑制部３１２の全ての軸方向溝部３１２ｂは、接続部３１１をバッテリポスト９０への挿入方向に見た際に、その２つの側壁面の内の時計回り側に配置されているものを第１側壁面３１２ｂ１にしてもよく、その内の反時計回り側に配置されているものを第１側壁面３１２ｂ１にしてもよい。また、相対移動抑制部３１２のそれぞれの軸方向溝部３１２ｂでは、時計回り側に配置されている側壁面を第１側壁面３１２ｂ１にするものと、反時計回り側に配置されている側壁面を第１側壁面３１２ｂ１にするものと、が混在していてもよい。
【００５４】
この相対移動抑制部３１２のそれぞれの軸方向溝部３１２ｂにおいては、そのように形成されることで、接続部３１１の内周面３１１ａをバッテリポスト９０の外周面９１に締め付けていった際に、その外周面９１側が食い込んでいきながら、その外周面９１側のエッジ部３１２ｂ３への引っ掛かりが強くなっていく。このため、相対移動抑制部３１２のそれぞれの軸方向溝部３１２ｂにおいては、バッテリポスト９０に対する接続部３１１の周方向の相対移動を抑えることができる。
【００５５】
ここで、この例示の相対移動抑制部３１２は、大別するならば、矩形波状に形成された第１側壁面３１２ｃと、この第１側壁面３１２ｃに対して間隔を空けて対向している矩形波状に形成された第２側壁面３１２ｄと、を有している（図１５から図１７）。この相対移動抑制部３１２においては、その第１側壁面３１２ｃと内周面３１１ａとの境界がエッジ部３１２ｂ３となるように、第１側壁面３１２ｃをそれぞれの周方向溝部３１２ａの第１側壁面３１２ａ１とそれぞれの軸方向溝部３１２ｂの第１側壁面３１２ｂ１とで形成する。そして、この相対移動抑制部３１２においては、その第２側壁面３１２ｄをテーパ状にするべく、この第２側壁面３１２ｄをそれぞれの周方向溝部３１２ａの第２側壁面３１２ａ２とそれぞれの軸方向溝部３１２ｂの第２側壁面３１２ｂ２とで形成する。従って、この相対移動抑制部３１２のそれぞれの周方向溝部３１２ａにおいては、軸方向で互いに対向する２つの側壁面の内の一方が第１側壁面３１２ａ１になるものと、その内の他方が第１側壁面３１２ａ１になるものと、が混在している（図１５）。また、この相対移動抑制部３１２のそれぞれの軸方向溝部３１２ｂにおいては、周方向で互いに対向する２つの側壁面の内の一方が第１側壁面３１２ｂ１になるものと、その内の他方が第１側壁面３１２ｂ１になるものと、が混在している（図１６及び図１７）。
【００５６】
本変形例のバッテリ端子４は、そのような相対移動抑制部３１２によって、接続部３１１とバッテリポスト９０との間における軸方向及び周方向の保持力を高めることができるので、バッテリポスト９０に対する接続部３１１の軸方向及び周方向の相対移動を抑えることができる。
【００５７】
尚、本変形例のバッテリ端子４は、その相対移動抑制部３１２に加えて、前述した変形例１の第２相対移動抑制部１１３を設けてもよく、これにより、バッテリポスト９０に対する接続部３１１の軸方向及び周方向の相対移動の抑制効果を更に高めることができる。
【符号の説明】
【００５８】
１，２，３，４  バッテリ端子
１０，１１０，２１０，３１０  接続体
１１，１１１，２１１，３１１  接続部
１１ａ，１１１ａ，２１１ａ，３１１ａ  内周面
１１ｂ，１１１ｂ，２１１ｂ，３１１ｂ  外周面
１２，２１２，３１２  相対移動抑制部
１２ａ，１１２ａ  第１側壁面
１２ｂ，１１２ｂ  第２側壁面
１２ｃ，１１２ｃ  エッジ部
２０  締付力調整機構
９０  バッテリポスト
９１  外周面
１１２  第１相対移動抑制部（相対移動抑制部）
１１３  第２相対移動抑制部（貫通孔）
１１３ａ  突起
２１２ａ，３１２ａ  周方向溝部
２１２ａ１，３１２ａ１  第１側壁面
２１２ａ２，３１２ａ２  第２側壁面
２１２ａ３，３１２ａ３  エッジ部
２１２ｂ，３１２ｂ  軸方向溝部
２１２ｂ１，３１２ｂ１  第１側壁面
２１２ｂ２，３１２ｂ２  第２側壁面
２１２ｂ３，３１２ｂ３  エッジ部
【図１】
0006637356.tif 000002
【図２】
0006637356.tif 000003
【図３】
0006637356.tif 000004
【図４】
0006637356.tif 000005
【図５】
0006637356.tif 000006
【図６】
0006637356.tif 000007
【図７】
0006637356.tif 000008
【図８】
0006637356.tif 000009
【図９】
0006637356.tif 000010
【図１０】
0006637356.tif 000011
【図１１】
0006637356.tif 000012
【図１２】
0006637356.tif 000013
【図１３】
0006637356.tif 000014
【図１４】
0006637356.tif 000015
【図１５】
0006637356.tif 000016
【図１６】
0006637356.tif 000017
【図１７】
0006637356.tif 000018